(57)【要約】【課題】リフレクタでのノイズの発生を抑える液晶表示装置を提供する。【解決手段】複数の画素が配列された表示領域を備えた液晶表示パネルと、前記液晶表示パネルを背面から照明する面光源装置と、前記液晶表示パネルと前記面光源装置とを支持するバックフレームと、を備え、前記面光源装置は、光源と、前記光源の出射光を面状光に変換する導光体と、前記光源の出射光を前記導光体に向けて反射させる反射体と、を備え、前記反射体は、前記バックフレームの外方まで張り出した導通部を有する。【選択図】      図５
2006106349.tif 000002
【特許請求の範囲】
【請求項１】
複数の画素が配列された表示領域を備えた液晶表示パネルと、
前記液晶表示パネルを背面から照明する面光源装置と、
前記液晶表示パネルと前記面光源装置とを支持するバックフレームと、を備え、
前記面光源装置は、
光源と、
前記光源の出射光を面状光に変換する導光体と、
前記光源の出射光を前記導光体に向けて反射させる反射体と、を備え、
前記反射体は、前記バックフレームの外方まで張り出した導通部を有する液晶表示装置。
【請求項２】
前記反射体の導通部は、前記バックフレームの側壁に略直交する方向に延びた略平板状で、ネジ止め用の透孔を有する請求項１記載の液晶表示装置。
【請求項３】
前記反射体の導通部は略平板状で、前記バックフレームの外面に沿って折り曲げられ、
前記バックフレームの側壁と前記導通部とが重なる部分に、前記バックフレームと前記導通部とを貫くネジ止め用の透孔が形成されている請求項１記載の液晶表示装置。
【請求項４】
前記反射体の導通部は、前記バックフレームの側壁に略直交する方向から付加される力に対して弾性変形可能な弾性部を有する請求項１記載の液晶表示装置。
【発明の詳細な説明】
【技術分野】
【０００１】
本発明は、液晶表示パネルおよび面光源装置を備えた液晶表示装置に関する。
【背景技術】
【０００２】
一般に、液晶表示装置は入力された画像を表示する液晶表示パネルと、液晶表示パネルを背面から照明する面光源装置とを有している。液晶表示パネルと面光源装置とは、バックフレームに支持されているとともに、ベゼルカバーに周囲を保持されている。
【０００３】
面光源装置は、光源と、光源の出射光を面状光に出射する導光体と、光源の出射光を導光体に入射させる反射体としてのリフレクタを備えている。このとき、リフレクタに光源からのノイズが発生すると表示画像の劣化を招くため、従来はリフレクタとベゼルカバーとをネジ止めし、更に、ベゼルを外部装置に導通させていた。
【０００４】
上記のような構成の液晶表示装置において、面光源装置とベゼルカバーとをクリップで挟み込んで固定するものが開発されている。（特許文献１参照）
一方、最近は、液晶表示装置は薄型、軽量化の実現が求められている。そのため、ベゼルカバーを備えずに、薄型、軽量化したベゼルレス液晶表示装置の開発が進められている。
【特許文献１】特開２００３−２７９９３５号公報
【発明の開示】
【発明が解決しようとする課題】
【０００５】
しかし、ベゼルレス液晶表示装置では、リフレクタとベゼルカバーとを導通させてノイズ対策を行うことができない。そのため、リフレクタと外部装置とを導通させる必要があるが、その導通手段はガスケットや他の金属部品を用いる手段に限られている。上記の手段では、導通できるように加工したり別の部品を使用したりしてから、ベゼルレス液晶表示装置を外部装置に装着する必要があるため、手間がかかると言う問題点があった。
【０００６】
本発明は、上記の問題点に鑑みて成されたものであって、外部と容易に導通でき、表示画像の劣化を防ぐ液晶表示装置を提供することを目的とする。
【課題を解決するための手段】
【０００７】
本発明の様態による液晶表示装置は、複数の画素が配列された表示領域を備えた液晶表示パネルと、前記液晶表示パネルを背面から照明する面光源装置と、前記液晶表示パネルと前記面光源装置とを支持するバックフレームと、を備え、前記面光源装置は、光源と、前記光源の出射光を面状光に変換する導光体と、前記光源の出射光を前記導光体に向けて反射させる反射体と、を備え、前記反射体は、前記バックフレームの外方まで張り出した導通部を有する。
【発明の効果】
【０００８】
本発明によれば、反射体を外部と容易に導通でき、表示画像の劣化を防ぐ液晶表示装置を提供することができる。
【発明を実施するための最良の形態】
【０００９】
以下、本発明の一実施形態に係る液晶表示装置について図面を参照して説明する。
【００１０】
図１に本発明の一実施形態に係る液晶表示装置１００の外観斜視図を示す。図２は図１に示す液晶表示装置１００の分解斜視図である。
【００１１】
図１および図２に示すように、液晶表示装置１００は略矩形状で、液晶表示パネル１０の裏面に液晶表示パネル１０を照明する面光源装置３０が対向配置されている。液晶表示パネル１０と面光源装置３０とは、フレーム３２に支持されているとともに、液晶表示パネル１０と面光源装置３０の周縁とは、例えばＰＥＴ（ポリエチレンテレフタレート）テープ等のテープ２０によってフレームに固定されている。
【００１２】
液晶表示パネル１０は、画像を表示させる略矩形状の表示領域１２を有している。表示領域１２は、マトリクス状に配置された複数の表示画素ＰＸによって構成されている。表示画素ＰＸには、列毎に設けられて各列の画素群に書き込み信号を供給するための複数の信号線Ｓｇと、行毎に設けられて行単位の画素群を選択するための複数の走査線Ｓｃとが接続されている。
【００１３】
細長い矩形平板状のドライバ回路基板１４は、液晶表示パネル１０に駆動信号を供給するとともに、フレキシブルな細長い矩形略平板状の一対のプリント配線基板１６を介して、液晶表示パネル１０の一側縁に電気的に接続されている。ドライバ回路基板１４は、面光源装置３０の裏面に向けてプリント配線基板１６を湾曲させることにより、面光源装置３０の裏面に配置されている。このとき、ドライバ回路基板１４と面光源装置３０との間には、細長い矩形シート状の絶縁シート４０が介在され、絶縁シート４０は、ドライバ回路基板１４と面光源装置３０との間の絶縁性を確保している。
【００１４】
図３に、図２に示す液晶表示装置１００の面光源装置３０をＡ−Ａ´で切断した断面図を示す。
【００１５】
面光源装置３０は、光源としての冷陰極管３４と、冷陰極管３４の出射光を面状に変換するための導光体３６と、冷陰極管３４の出射光を導光体３６の光入射面３６ａに入射させる反射体としてのリフレクタ３７を備えている。
【００１６】
導光体３６は、透光性を持つ樹脂により、光入射面３６aの法線方向に向かって徐々に厚さが薄くなる楔形に形成されている。このような形状にすることによって、面光源装置３０の裏側にドライバ回路基板１４を収容するスペースを確保している。導光体３６は、光入射面３６aから入射された冷陰極管３４からの光を、面状光として液晶表示パネル１０に向けて出射する。
【００１７】
導光体３６の液晶表示パネル１０と対向する表面には、複数の光学シート３９が配置されている。光学シート３９は導光体３６の表面から出射された面状光に対して、所定の光学特性を付与するもので、例えば、導光体３６の出射光を集光する集光シート、及び、出射光を拡散する拡散シートなどである。導光体３６の背面には光学シートとしての反射シート３８が配置されている。反射シート３８は、導光体３６の背面から外部へ漏れ出た光を導光体３６に戻すべく反射する。
【００１８】
光源としての冷陰極管３４は、導光体３６の光入射面３６aに沿って配置されている。リフレクタ３７は、略平板状の反射体を断面が略Ｕ字状となるように折り曲げて形成され、冷陰極管３４を囲む包囲部３７dと対向する一対の端部３７eとを有している。一対の端部３７eは導光体３６と反射シート３８とをその厚さ方向から挟持し、リフレクタ３７は冷陰極管３４の出射光を導光体３６の光入射面３６aに向けて反射する。ここで導光体３６の厚さ方向とは、導光体３６の表面に略直交する方向である。
【００１９】
図４に、冷陰極管３４およびリフレクタ３７の端部の構造を示す。図４に示すように、冷陰極管３４の両端部にはそれぞれランプホルダー３３が取り付けられ、外部に接続する配線３５が各ランプホルダーから延びている。リフレクタ３７の包囲部３７dは、冷陰極管３４をその長手方向の全長にわたって囲んでいる。ただし、リフレクタ３７の長手方向は図４に示すＬ方向で、その幅方向はＷ方向とする。リフレクタ３７は、包囲部３７dの長手方向両端からそれぞれバックフレームの外方まで張り出した一対の導通部３７aを一体的に有している。導通部３７aは、バックフレームの側壁に略直交する方向に延びた略平板状で、ネジ止め用の透孔３７bが形成されている。導通部３７aを含むリフレクタ３７は、導電性を有した金属により形成されている。
【００２０】
図４に示すリフレクタ３７を用いた液晶表示装置１００の外観斜視図の一例を図５に示す。図５に示す液晶表示装置１００は、リフレクタ３７の導通部３７aがバックフレーム３２の外方まで延びている。導通部３７aは透孔３７bに挿通された図示しないネジにより外部の部材にネジ止めされ、この部材に電気的に導通する。
【００２１】
上記のように、リフレクタ３７の包囲部３７dにバックフレームの外方まで張り出すとともに、透孔３７bを備える導通部３７aを形成することによって、リフレクタ３７と外部とをネジ止めして容易に導通させることができる。このことにより、リフレクタ３７に発生するノイズによって表示画像の劣化が生じることを防いでいる。
【００２２】
図４に示すリフレクタ３７を用いた液晶表示装置１００の別の例を図６に示す。図６に示す液晶表示装置１００では、バックフレーム３２の外方まで延びた導通部３７aが、バックフレーム３２の外面に沿って折り曲げられている。また、導通部３７aの透孔３７bの位置に合わせて、バックフレーム３２にもネジ止め用の透孔が形成されている。リフレクタ３７は、導通部３７aおよびバックフレーム３２の透孔３７bで外部の部材とネジ止めされ、この部材に電気的に導通する。
【００２３】
上記のように導通部３７aを形成した場合も、バックフレーム３２と導通部３７aとに透孔３７bを設けることによって、リフレクタ３７を外部と容易に導通させることができ、図５に示す場合と同様の効果が得られる。
【００２４】
図７に、本発明の他の実施形態に係るリフレクタ３７の端部を示す。リフレクタ３７は包囲部３７dの長手方向の両端からそれぞれバックフレームの外方まで略Ｌ字状に延出した一対の導通部３７aを有している。
【００２５】
図８は、図７に示すリフレクタ３７を用いた液晶表示装置１００の外観図の一例で、図９は図８に示す導通部３７aの部分を詳細に示す図である。導通部３７aは、フレーム３２の外面に沿って折り曲げられ、さらにバックフレーム３２の側壁に略直交する方向からの外力に対して弾性変形可能なように図７に示す点線で折り曲げられ、図８および図９に示すようにバックフレームの側壁から張り出した弾性部３７cを有している。
【００２６】
導通部３７aが、上記のような弾性部３７cを有することによって、外部の導通可能な部分に弾性部３７cを押し当ててリフレクタ３７と外部とを導通させることができる。このことにより、リフレクタ３７と外部とをネジ止めすることなく、リフレクタ３７に発生するノイズによって表示画像の劣化が生じることを防ぐことができる。
【００２７】
なお、図７乃至図９に示す弾性部３７cは、バックフレーム３２の側壁に略直交する方向に張り出すように直線的に折り曲げられているが、図１０に示すように半円状に折り曲げても良い。その場合にも、弾性部３７cを外部の導通可能な部分に押し当てることによって、図７乃至図９に示す場合と同様の効果が得られる。
【００２８】
なお、上記の実施形態ではリフレクタ３７の長手方向の両端に一対の導通部３７aが形成されているが、リフレクタ３７の一方の端に導通部３７aを形成しても良い。
【００２９】
この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３０】
【図１】本発明の一実施形態に係る液晶表示装置の外観斜視図。
【図２】図１に示す液晶表示装置の分解斜視図。
【図３】図２に示す液晶表示装置の面光源装置をＡ−Ａ´で切断した断面図。
【図４】図１に示す液晶表示装置におけるリフレクタの端部を示す斜視図。
【図５】図４に示すリフレクタを実装した液晶表示装置の一例を示す斜視図。
【図６】図４に示すリフレクタを実装した液晶表示装置の他の例を示す斜視図。
【図７】本発明の他の実施形態に係る液晶表示装置のリフレクタの端部を示す斜視図。
【図８】図７に示すリフレクタを実装した液晶表示装置の一例を示す正面図。
【図９】図８に示す液晶表示装置における導通部を示す斜視図。
【図１０】図７に示すリフレクタを実装した液晶表示装置における導通部の他の例を示す斜視図。
【符号の説明】
【００３１】
１００…液晶表示装置、１０…液晶表示パネル、１２…表示部、１４…ドライバ回路基板、１６…プリント配線基板、ＰＸ…表示画素、２０…テープ、３０…面光源装置、３２…バックフレーム、３３…ランプホルダー、３４…冷陰極管、３６…導光体、３７…リフレクタ、３７a…導通部、３７b…透孔、３７c…弾性部、３８…反射シート、３９…光学シート、
【図１】
2006106349.tif 000003
【図２】
2006106349.tif 000004
【図３】
2006106349.tif 000005
【図４】
2006106349.tif 000006
【図５】
2006106349.tif 000007
【図６】
2006106349.tif 000008
【図７】
2006106349.tif 000009
【図８】
2006106349.tif 000010
【図９】
2006106349.tif 000011
【図１０】
2006106349.tif 000012